(57)【要約】【課題】  遮断特性が急峻なフィルタを得るために好適な、超広帯域無線方式（ＵＷＢ）用の差動信号用帯域通過フィルタの構造を提供する。【解決手段】  分布定数線路で構成される差動信号用帯域通過フィルタにおいて、高域通過フィルタ１１４のシャントインダクタ１０５に接続されるシリーズ容量１０６，１０８Ｌ及び１０７，１０８Ｌに、分布定数線路で構成される容量Ｃｍ（１０６，１０８Ｕ及び１０７，１０８Ｕ）を並列に接続する。容量Ｃｍにより通過帯域よりも低い周波数にひとつのノッチ（遮断の大きな周波数領域）を生じさせることができる。通過帯域の近傍にノッチを入れることができれば、帯域通過フィルタの遮断特性を急峻にできる。【選択図】              図６
2007142801.tif 000002
【特許請求の範囲】
【請求項１】
積層された第１誘電体、第２誘電体及び第３誘電体と、
前記第１誘電体と前記第２誘電体の間の第２層Ｌ２に形成され、一端を信号の第１入出力端とする高インピーダンス線路の対１０２、１０２、前記高インピーダンス線路１０２、１０２の対にそれぞれ接続される線路の対１０３，１０３、一端が前記線路の対１０３，１０３にそれぞれ接続される高インピーダンス線路の対１０４，１０４、前記高インピーダンス線路の対１０４，１０４にそれぞれ接続される線路の対１０６，１０６、及び、前記線路の対１０６，１０６と間隔を空けて設けられ、第２入出力端をもつ線路の対１０７、１０７と、
前記第１誘電体の他方の面の第１層Ｌ１に形成され、前記線路の対１０６，１０６及び前記線路の対１０７，１０７にそれぞれ対向して設けられる線路１０８Ｕ、１０８Ｕと、
前記第２誘電体と前記第３誘電体の間の第３層Ｌ３に形成され、前記線路の対１０３，１０３に対向して設けられる線路１１０Ｌ、前記線路の対１０６，１０６及び前記線路の対１０７，１０７にそれぞれ対向して設けられる線路１０８Ｌ、１０８Ｌ、及び、前記線路１１０Ｌの両端と前記線路の対１０８Ｌ，１０８Ｌの端にそれぞれ接続される高インピーダンス線路の対１０５、１０５と、を備え、
前記線路の対は、いずれも、前記第１誘電体、前記第２誘電体及び前記第３誘電体に垂直な対称面ＳＰに関して互いに対称に配置されていることを特徴とする差動信号用帯域通過フィルタ。
【請求項２】
前記第２層Ｌ２に形成され、前記線路の対１０６、１０６と前記線路の対１０７、１０７の間にそれぞれ設けられる線路の対１２４，１２４と、
前記第１層Ｌ１に形成され、前記線路の対１２４，１２４及び前記線路の対１０７，１０７にそれぞれ対向して設けられる線路１２７Ｕ、１２７Ｕ、前記線路の対１０３，１０３に対向して前記第１層Ｌ１に設けられる線路１１０Ｕ、及び、前記線路１１０Ｕの両端と前記線路の対１２７Ｕ，１２７Ｕの端にそれぞれ接続される高インピーダンス線路の対１２１、１２１と、
前記第３層Ｌ３に形成され、前記線路の対１２４，１２４及び前記線路の対１０７，１０７にそれぞれ対向して設けられる線路１２７Ｌ、１２７Ｌと、をさらに備え、
前記線路の対１０８Ｕ、１０８Ｕ及び１０８Ｌ，１０８Ｌは、それぞれ前記線路の対１０６、１０６の全部と前記線路の対１２４，１２４の略半分を覆う大きさであり、
前記線路の対１２７Ｕ、１２７Ｕ及び１２７Ｌ，１２７Ｌは、それぞれ前記線路の対１０７、１０７の全部と前記線路の対１２４，１２４の残りの部分を覆う大きさであることを特徴とする請求項１記載の差動信号用帯域通過フィルタ。
【発明の詳細な説明】
【技術分野】
【０００１】
この発明は、高速の伝送を可能にする超広帯域無線方式（ＵＷＢ）などに適用可能な差動信号用帯域通過フィルタの構造に関する。
【背景技術】
【０００２】
近年無線ＬＡＮ、ブルートゥース（商標）等の近距離無線インターフェースが広く使用されるようになってきているが、さらに高速の伝送を可能にする超広帯域無線方式（ＵＷＢ）が次期システムとして注目されている。ＵＷＢの米国の規格によれば、その使用周波数として米国では３．１〜１０．６ＧＨｚの間で比較的大きな出力が認められている。このＵＷＢシステムは非常に広帯域の周波数を使用するため１００Ｍｂｐｓ以上の高速の無線伝送が可能である。このような無線通信方式では、その周波数の有効利用のために、帯域内では損失が少なく、帯域外では大きな遮断をとることが求められていて、複数の無線システムが互いに干渉しあわないようにしている。そのため、急峻な遮断特性をもつ帯域通過フィルタの要求が強くなってきている。
【０００３】
【非特許文献１】小西良弘  「実用マイクロ波技術講座」  第３巻  ｐｐ  １２４−１２９
【発明の開示】
【発明が解決しようとする課題】
【０００４】
例えば、ＵＷＢでは、帯域の上下限を外れると−１０ｄＢの電波の抑制が要求されている。帯域内では損失が少なく、帯域外では大きな遮断を実現するために帯域通過フィルタが用いられるが、従来の帯域通過フィルタでは、信号を遮断する周波数から通過する周波数でも損失の大きい周波数領域ができてしまう。この周波数領域では信号の減衰が大きくなるため有効には通信を行えず、結果として使用できる帯域が少なくなって通信速度を低下させてしまう。この不具合を低減するために周波数を有効に利用できるよう遮断と通過が急峻に切り替わる帯域通過フィルタの重要性が高まっている。
【０００５】
本発明は低域側にノッチ（遮断の大きな周波数領域）を構成することで急峻な帯域通過フィルタ特性を得ることのできる差動信号用帯域通過フィルタの構造を提供することを目的とする。
【課題を解決するための手段】
【０００６】
この発明に係る差動信号用帯域通過フィルタは、
積層された第１誘電体、第２誘電体及び第３誘電体と、
前記第１誘電体と前記第２誘電体の間の第２層Ｌ２に形成され、一端を信号の第１入出力端とする高インピーダンス線路の対１０２、１０２、前記高インピーダンス線路１０２、１０２の対にそれぞれ接続される線路の対１０３，１０３、一端が前記線路の対１０３，１０３にそれぞれ接続される高インピーダンス線路の対１０４，１０４、前記高インピーダンス線路の対１０４，１０４にそれぞれ接続される線路の対１０６，１０６、及び、前記線路の対１０６，１０６と間隔を空けて設けられ、第２入出力端をもつ線路の対１０７、１０７と、
前記第１誘電体の他方の面の第１層Ｌ１に形成され、前記線路の対１０６，１０６及び前記線路の対１０７，１０７にそれぞれ対向して設けられる線路１０８Ｕ、１０８Ｕと、
前記第２誘電体と前記第３誘電体の間の第３層Ｌ３に形成され、前記線路の対１０３，１０３に対向して設けられる線路１１０Ｌ、前記線路の対１０６，１０６及び前記線路の対１０７，１０７にそれぞれ対向して設けられる線路１０８Ｌ、１０８Ｌ、及び、前記線路１１０Ｌの両端と前記線路の対１０８Ｌ，１０８Ｌの端にそれぞれ接続される高インピーダンス線路の対１０５、１０５と、を備え、
前記線路の対は、いずれも、前記第１誘電体、前記第２誘電体及び前記第３誘電体に垂直な対称面ＳＰに関して互いに対称に配置されているものである。
【０００７】
さらに、
前記第２層Ｌ２に形成され、前記線路の対１０６、１０６と前記線路の対１０７、１０７の間にそれぞれ設けられる線路の対１２４，１２４と、
前記第１層Ｌ１に形成され、前記線路の対１２４，１２４及び前記線路の対１０７，１０７にそれぞれ対向して設けられる線路１２７Ｕ、１２７Ｕ、前記線路の対１０３，１０３に対向して前記第１層Ｌ１に設けられる線路１１０Ｕ、及び、前記線路１１０Ｕの両端と前記線路の対１２７Ｕ，１２７Ｕの端にそれぞれ接続される高インピーダンス線路の対１２１、１２１と、
前記第３層Ｌ３に形成され、前記線路の対１２４，１２４及び前記線路の対１０７，１０７にそれぞれ対向して設けられる線路１２７Ｌ、１２７Ｌと、を備え、
前記線路の対１０８Ｕ、１０８Ｕ及び１０８Ｌ，１０８Ｌを、それぞれ前記線路の対１０６、１０６の全部と前記線路の対１２４，１２４の略半分を覆う大きさとし、
前記線路の対１２７Ｕ、１２７Ｕ及び１２７Ｌ，１２７Ｌを、それぞれ前記線路の対１０７、１０７の全部と前記線路の対１２４，１２４の残りの部分を覆う大きさとすることで、ノッチを複数形成することもできる。
【発明の効果】
【０００８】
本発明に係る帯域通過フィルタの構造によれば、高域通過フィルタのシャントインダクタに接続されるシリーズ容量に並列に接続される容量Ｃｍを実現でき、これにより通過帯域よりも低い周波数にひとつ又は複数のノッチ（遮断の大きな周波数領域）を生じさせることができる。通過帯域の近傍にノッチを入れることができれば、帯域通過フィルタの遮断特性を急峻にできる。本発明に係る帯域通過フィルタの構造は、遮断特性が急峻なフィルタを得るために好適なものである。
【発明を実施するための最良の形態】
【０００９】
発明の実施の形態１．
発明の実施の形態１について図面を参照して説明を加える。
図１は、発明の実施の形態１に係る差動信号用帯域通過フィルタの構造を示す斜視図である。図面を見やすくするため、図１において誘電体の表示を省略している。図１からわかるように、発明の実施の形態１に係る差動信号用帯域通過フィルタは、３枚の誘電体板（図１では示さず）が積層されたことにより形成される３つの層にそれぞれ設けられた平板状の線路（導体）から構成される。説明の便宜上、３つの層をそれぞれ上から層Ｌ１、層Ｌ２、層Ｌ３と名付ける（図５の断面図参照）。
【００１０】
図２は、発明の実施の形態１に係る差動信号用帯域通過フィルタの構造を示す平面図である。図２において誘電体の表示を省略している。
【００１１】
図３は、発明の実施の形態１に係る差動信号用帯域通過フィルタの構造のうち、最も下の層Ｌ３に形成された構造（導体）を示す平面図である。
【００１２】
図４（ａ）は、発明の実施の形態１に係る差動信号用帯域通過フィルタの構造のうち、中間の層Ｌ２に形成された構造（導体）を示す平面図である。
図４（ｂ）は、発明の実施の形態１に係る差動信号用帯域通過フィルタの構造のうち、最も上の層Ｌ１に形成された構造（導体）を示す平面図である。
【００１３】
図５（ａ）は、図２等に示されたＡ−Ａ矢視断面図である。
図５（ｂ）は、図２等に示されたＢ−Ｂ矢視断面図である。
図５（ｃ）は、図２等に示されたＣ−Ｃ矢視断面図である。
図５（ａ）乃至図５（ｃ）において、Ｌ１〜Ｌ３は導体を形成し得る面（層）を意味し、上から順番にＬ１、Ｌ２、Ｌ３としている。第１層Ｌ１は誘電体１６０の表面（上面）である。第２層Ｌ２は２つの誘電体１６０と１６１に挟まれ、第３層Ｌ３は２つの誘電体１６１と１６２に挟まれている。
【００１４】
図１乃至図５に示されているＳＰは、誘電体１６０及び１６１に垂直な平面であり、これを対称面として各電極が配置されている。層Ｌ１〜Ｌ３と対称面ＳＰは説明の便宜上図示したものであって、実際の構造には含まれない。
【００１５】
図６は、発明の実施の形態１に係る差動信号用帯域通過フィルタの概略等価回路である。図６においてインダクタやキャパシタ等に付された符号は、図１乃至図５で示された符号に対応している。符号１１３の部分は差動信号低域通過フィルタとして機能し、符号１１４の部分は差動信号高域通過フィルタとして機能する。なお、図６の低域通過側後半の容量（図６に点線で示されている）は、実際はその値が小さいのでなくてもよい。図１乃至図５には当該容量に相当する線路を示していない。
【００１６】
図７は、シミュレーションによる上記差動信号用帯域通過フィルタの特性図を示す。Ｓ１１は反射を示すグラフ、Ｓ２１は通過を示すグラフである。図７は、本発明の実施の形態１に係る構造を、分布定数の効果を含めて電磁界シミュレーションで評価した結果を示す。図７の特性には、２ＧＨｚにノッチが現れており急峻な遮断特性が得られている。図７の２ＧＨｚに存在するノッチ（矢印の個所）が、発明の実施の形態１に係る差動信号用帯域通過フィルタの特徴である。
【００１７】
シミュレーションの条件は次の通りである。
・第１誘電体の比誘電率＝７．５、厚さ＝５０μｍ。
・第２誘電体の比誘電率＝９．８、厚さ＝１００μｍ
・第３誘電体の比誘電率＝７．５、厚さ＝５０μｍ
・層Ｌ１に形成された線路又は線路の対の寸法（単位ｍｍ、以下同じ）
１０８Ｕ：０．７５×０．９（１０８Ｕと１０８Ｕの間隔は０．４）
１１０Ｕ：０．８×０．３
・層Ｌ２に形成された線路の対の寸法
１０２：０．１×０．７（１０２と１０２の間隔は０．９）
１０３：０．７５×０．３（１０３と１０３の間隔は０．１）
１０４：０．１×１．４（１０４と１０４の間隔は０．９）
１０６：０．４×０．４（１０６と１０６の間隔は０．８）
１０７：０．６５×０．４（１０７と１０７の間隔は０．６）
・層Ｌ３に形成された線路又は線路の対の寸法
１０５：０．１×２．４５
１０８Ｌ：０．７５×０．９（１０８Ｌと１０８Ｌの間隔は０．４）
１１０Ｕ：０．８×０．３
【００１８】
図１乃至図５に示すように、発明の実施の形態１に係る差動信号用帯域通過フィルタは次のような要素を備えている。なお、以下の説明において、線路の対を示すときは１０６，１０６のように符号を繰り返す。ただし、当該線路の対が果たしている機能を説明するときはインダクタ１０５のようにひとつの符号を伴うことがある。
【００１９】
（ａ）積層された第１誘電体１６０、第２誘電体１６１及び第３誘電体１６２
【００２０】
（ｂ）以下に説明する線路及び線路の対（対称面ＳＰに対称に配置されている２つの線路であって、各線路の大きさが同じで平面形状が対称面ＳＰに対して線対称であるものを「線路の対」と呼ぶことにする。以下の例に示すように、ほとんどの「線路の対」の平面形状は長方形又は正方形であるが、符号１０５、１０５や符号１２１、１２１の線路の対の平面形状は略コの字状や歪んだＳ字状をしている）。
（ｂ１）ただし、以下の（ｃ１）乃至（ｃ５）の線路の対は、第１誘電体１６０乃至第３誘電体１６２に垂直な対称面ＳＰに関して互いに対称に配置されている。
（ｂ２）ただし、以下の（ｃ１）乃至（ｃ５）の線路の対は、第１誘電体１６０と第２誘電体１６１の間（第２層Ｌ２）に設けられている。
（ｂ３）ただし、以下の（ｄ１）及び（ｄ２）の線路の対（又は線路）は、第１誘電体１６０の上（第１層Ｌ１）に設けられている。
（ｂ４）ただし、以下の（ｅ１）乃至（ｅ３）の線路の対（又は線路）は、第２誘電体１６１と第３誘電体１６２の間（第３層Ｌ３）に設けられている。
【００２１】
（ｃ１）層Ｌ２に設けられ、一端を信号の入出力端１０１ａとする高インピーダンス線路の対１０２、１０２。高インピーダンス線路の対１０２、１０２はシリーズインダクタを構成する。
（ｃ２）高インピーダンス線路の対１０２、１０２にそれぞれ接続される、層Ｌ２に設けられた線路の対１０３，１０３。線路の対１０３，１０３は、高インピーダンス線路の対１０２、１０２の延在方向と直交する方向に延びる、比較的面積の大きな部分をもつ。線路の対１０３，１０３は、対称面ＳＰとの間に隙間が設けられている。したがって、線路の対１０３，１０３は導通していない。
【００２２】
（ｄ１）線路の対１０３，１０３に対向して層Ｌ１に設けられるひとつの線路１１０Ｕ。線路１１０Ｕは、高インピーダンス線路の対１０４、１０４の延在方向と直交する方向に延びていて、しかも対称面ＳＰの個所で連続し、導通している。
（ｅ１）線路の対１０３，１０３に対向して層Ｌ３に設けられるひとつの線路１１０Ｌ。線路１１０Ｌは、高インピーダンス線路の対１０４、１０４の延在方向と直交する方向に延びていて、しかも対称面ＳＰの個所で連続し、導通している。
【００２３】
（ｃ３）層Ｌ２に設けられ、一端が線路の対１０３，１０３にそれぞれ接続される高インピーダンス線路の対１０４、１０４。高インピーダンス線路の対１０４、１０４はシリーズインダクタを構成する。
（ｃ４）高インピーダンス線路の対１０４、１０４にそれぞれ接続される、層Ｌ２に設けられた線路の対１０６，１０６。線路の対１０６，１０６は、高インピーダンス線路の対１０４、１０４（１０２，１０２）の延在方向と直交する方向に延びる、比較的面積の大きな部分をもつ。
（ｃ５）線路の対１０６，１０６から一定の間隔を空けて設けられる線路の対１０７、１０７。線路の対１０７，１０７は、高インピーダンス線路の対１０４、１０４（１０２，１０２）の延在方向と直交する方向に延びる、比較的面積の大きな部分をもつ。また、線路の対１０７，１０７は、高インピーダンス線路の対１０４、１０４（１０２，１０２）の延在方向に延びる入出力端１０１ｂをもつ。
【００２４】
（ｄ２）線路の対１０６，１０６及び線路の対１０７，１０７にそれぞれ対向して層Ｌ１に設けられる線路１０８Ｕ、１０８Ｕ。線路の対１０８Ｕ、１０８Ｕは、線路の対１０６，１０６及び線路の対１０７，１０７の両方を覆うことができる程度の大きさである。線路の対１０８Ｕ，１０８Ｕは、対称面ＳＰとの間に隙間が設けられている。したがって、線路の対１０８Ｕ，１０８Ｕは導通していない。
【００２５】
（ｅ２）線路の対１０６，１０６及び線路の対１０７，１０７にそれぞれ対向して層Ｌ３に設けられる線路１０８Ｌ、１０８Ｌ。線路の対１０８Ｌ、１０８Ｌは、線路の対１０６，１０６及び線路の対１０７，１０７の両方を覆うことができる程度の大きさである。線路の対１０８Ｌ、１０８Ｌは、対称面ＳＰとの間に隙間が設けられている。したがって、線路の対１０８Ｌ、１０８Ｌは導通していない。
（ｅ３）線路１１０Ｌの両端（高インピーダンス線路の対１０４、１０４の延在方向と直交する方向の端）と線路の対１０８Ｌ，１０８Ｌの端にそれぞれ接続される、層Ｌ３に設けられる高インピーダンス線路の対１０５、１０５。
【００２６】
図１乃至図５において、１０１ａ及び１０１ｂは入出力端子、１０２及び１０４は差動の低域通過フィルタを構成する等価インダクタである。１０３は低域通過フィルタのシャント容量を構成する２結合線路（線路の対）で、対称面ＳＰで短絡された電極１１０Ｕ及び１１０Ｌと容量を実現する。１０５は低域側にノッチを伴う高域通過フィルタの接地インダクタである。１０６及び１０７は電極１０８Ｕ及び１０８Ｌとシリーズを構成する電極（線路）である。
【００２７】
線路１０２及び１０４による差動インダクタと、線路１０３及び１１０Ｕ，１１０Ｌで実現されるの差動シャント容量により、全体として低域通過フィルタを構成している（図６の等価回路の符号１１３）。
【００２８】
線路１０６及び１０７は上下の電極（線路）１０８Ｕ及び１０８Ｌとシリーズ容量を構成している。線路１０５は電極１０８Ｌより引き出されて、線路１１０Ｌと接続されている。差動信号の仮想接地面である対称面ＳＰと短絡していることから、線路１０５は仮想接地面に接続されている。
【００２９】
シリーズ容量を構成する線路１０８Ｌの中央は、高インピーダンス線路１０５を介して中心対称面ＳＰに短絡された電極１０に接続されていて、２つのシリーズ容量の間からシャントインダクタが構成される形となっている。線路１０５乃至１０８Ｌは高域通過フィルタを構成する（図６の等価回路の符号１１４）。一方、線路１０６、１０７及び１０８Ｕにより上側に構成されるシリーズ容量は、線路１０５に相当するシャントインダクタが接続されていないため（線路１０８Ｕに線路は全く接続されていない）、等価的にその両側の点を容量結合する回路となっている（図６の等価回路のＣｍ）。
【００３０】
なお、差動回路用シャントキャパシタの構造、差動回路用シリーズキャパシタの構造及び差動信号用低域通過フィルタの構造は、後に説明を追加する。
【００３１】
次に、発明の実施の形態１に係る帯域通過フィルタの構造及び特性の特徴について説明を加える。
【００３２】
発明の実施の形態１に係る帯域通過フィルタは分布定数線路で構成され、集中定数であるインダクタ（L）、キャパシタ（C）で構成されているわけではないため、厳密には集中定数の理論では説明できないが、集中定数の理論で近似的に説明することは可能である。
【００３３】
図８は、集中定数で構成される高域通過フィルタと低域通過フィルタを組み合わせた帯域通過フィルタの構成例を示す。１１は低域通過フィルタを、１２は高域通過フィルタを示す。図８においては、高域通過フィルタ１２の容量として、２つのキャパシタを並列に接続したものを用い、より大きな容量を得ている。もちろん、ひとつのキャパシタを用いることもできる。
【００３４】
図８を、図６の発明の実施の形態１に係る帯域通過フィルタの等価回路と比較すると、インダクタに接続された容量とシャントインダクタで高域通過フィルタを構成する点で共通するが、図６の発明の実施の形態１に係る帯域通過フィルタでは、並列に接続されたキャパシタの一方はインダクタと接続されていない点で相違する。このような接続になるのは、線路１０８Ｕと１０８Ｌがビアで接続されていないからである。
【００３５】
ところで、非特許文献１：小西良弘  実用マイクロ波技術講座  第３巻  ｐｐ  １２４−１２９には、高域通過フィルタとして図９（ａ）に示す回路（不平衡回路）が記載されている。図９（ａ）の不平衡回路を上下に対称に配置すると差動信号用の高域通過フィルタとなり、その特性は不平衡回路の場合と共通する。図９（ａ）の回路の特性は図９（ｂ）のようになっていて、通過域よりも低域側にノッチが生じるようになる（図９（ｂ）の矢印）。
【００３６】
発明の実施の形態１に係る帯域通過フィルタの高域通過フィルタ１１４の容量Ｃｍが、図９（ａ）の容量Ｃｍに相当するから、上記非特許文献１の教えるところにより、容量Ｃｍに起因してノッチが生じると考えられる。図７の特性図を改めて見ると、通過帯域４−１０ＧＨｚの低域側である２ＧＨｚにノッチ（矢印の個所）が存在している。ノッチの存在により低域側の遮断特性が非常に急峻になり、優れた帯域通過特性を実現できる。仮にノッチがないとすると、図７に点線で示したようななだらかな遮断特性となり、例えば２ＧＨｚの信号の大部分を通過させてしまう。
【００３７】
発明の実施の形態１に係る帯域通過フィルタの容量Ｃｍは、線路１０６，１０７及び１０８Ｕとから構成される。すなわち、前記容量Ｃｍに相当する容量は上側の誘電体１６０を挟む電極１０６，１０７及び１０８Ｕの間で容量が構成される。一方、下側の誘電体１６１を挟む電極１０６，１０７及び１０８Ｌの間で容量が構成される。当該容量は高域通過フィルタを構成する。上下の電極１８０Ｕと１８０Ｌの面積が等しい場合は、上下の容量は一定の比にしか構成できないが、上下の電極１８０Ｕと１８０Ｌの面積を異なったものとし、中間の電極１０６と１０７の面積を大きい方にあわせることで上下の容量の比を調整することも可能である。
【００３８】
発明の実施の形態１に係る帯域通過フィルタの構造によれば、通過帯域よりも低い周波数にノッチ（遮断の大きな周波数領域）を生じさせることができる。通過帯域の近傍にノッチを入れることができれば、一般に遮断特性を急峻にできるので、発明の実施の形態１に係る帯域通過フィルタの構造は、遮断特性が急峻なフィルタを得るために好適な構成と言える。発明の実施の形態１に係る帯域通過フィルタの構造によれば、低域側の遮断特性が非常に急峻になり、優れた帯域通過特性を実現できる。
【００３９】
発明の実施の形態２．
発明の実施の形態２について図面を参照して説明を加える。なお、図１０等において、図１等に示された要素と同一又は相当する部分には同じ符号を付している。
【００４０】
図１０は、発明の実施の形態２に係る差動信号用帯域通過フィルタの構造を示す斜視図である。図面を見やすくするため、図１０において誘電体の表示を省略している。２枚の誘電体板により形成される３つの層をそれぞれ上から第１層Ｌ１、第２層Ｌ２、第３層Ｌ３と呼ぶ。
【００４１】
図１１は、発明の実施の形態２に係る差動信号用帯域通過フィルタの構造のうち、最も下の層Ｌ３に形成された構造（導体）を示す平面図である。
【００４２】
図１２は、発明の実施の形態２に係る差動信号用帯域通過フィルタの構造のうち、中間の層Ｌ２に形成された構造（導体）を示す平面図である。
【００４３】
図１３は、発明の実施の形態２に係る差動信号用帯域通過フィルタの構造のうち、最も上の層Ｌ１に形成された構造（導体）を示す平面図である。
【００４４】
図１４（ａ）は、図１１等に示されたＡ−Ａ矢視断面図である。
図１４（ｂ）は、図１１等に示されたＢ−Ｂ矢視断面図である。
図１４（ｃ）は、図１１等に示されたＣ−Ｃ矢視断面図である。
図１４（ａ）乃至図１４（ｃ）において、Ｌ１〜Ｌ３は導体を形成し得る面（層）を意味し、上から順番にＬ１、Ｌ２、Ｌ３としている。第２面Ｌ２は２つの誘電体１６０と１６１に挟まれている。
【００４５】
図１０乃至図１４に示されているＳＰは、誘電体１６０及び１６１に垂直な平面であり、これを対称面として各電極が配置されている。層Ｌ１〜Ｌ３と対称面ＳＰは説明の便宜上図示したものであって、実際の構造には含まれない。
【００４６】
図１５は、発明の実施の形態２に係る差動信号用帯域通過フィルタの概略等価回路である。図１５においてインダクタやキャパシタ等に付された符号は、図１０乃至図１４で示された符号に対応している。符号１１３の部分は差動信号低域通過フィルタとして機能し、符号１１４ａ及び１１４ｂの部分は差動信号高域通過フィルタとして機能する。なお、図１５の低域通過フィルタ１１３の後半の容量（図１５に点線で示されている）は、実際はその値が小さいので、なくてもよい。図１０乃至図１４には当該容量に相当する線路を示していない。
【００４７】
図１６は、シミュレーションによる上記差動信号用帯域通過フィルタの特性図を示す。Ｓ１１は反射を示すグラフ、Ｓ２１は通過を示すグラフである。図１６は、本発明の実施の形態２に係る構造を、分布定数の効果を含めて電磁界シミュレーションで評価した結果を示す。図１６の特性には、１．５ＧＨｚ（矢印Ａ）と２．８ＧＨｚ（矢印Ｂ）にノッチが現れており急峻な遮断特性が得られている。このように２つのノッチが、発明の実施の形態２に係る差動信号用帯域通過フィルタの特徴である。−１０ｄＢから−１ｄＢまでの立ち上がりは、３．０５ＧＨｚから３．４ＧＨｚで０．３５ＧＨｚと発明の実施の形態１のものよりさらに急峻にできている。
【００４８】
シミュレーションの条件は次の通りである。
・第１誘電体の比誘電率＝７．５、厚さ＝５０μｍ
・第２誘電体の比誘電率＝９．８、厚さ＝１００μｍ
・第３誘電体の比誘電率＝７．５、厚さ＝５０μｍ
・層Ｌ１に形成された線路又は線路の対の寸法（単位ｍｍ、以下同じ）
１０８Ｕ：０．８×１．１（１０８Ｕと１０８Ｕとの間隔は０．８）
１１０Ｕ：０．８×０．２５
１２１：０．１×４．３
１２７Ｕ：０．８×１．２（１２７Ｕと１２７Ｕとの間隔は０．８）
・層Ｌ２に形成された線路の対の寸法
１０２：０．１×０．８５（１０２と１０２との間隔は０．９）
１０３：０．７５×０．２５（１０３と１０３との間隔は０．１）
１０４：０．１×１．１５（１０４と１０４との間隔は０．９）
１０６：０．４５×０．４５（１０６と１０６との間隔は０．９）
１０７：０．６５×０．５５（１０７と１０７との間隔は０．９
１２４：０．６５×１．２（１２４と１２４との間隔は０．９）
・層Ｌ３に形成された線路又は線路の対の寸法
１０５：０．１×２．７５
１０８Ｌ：０．８×１．１（１０８Ｌと１０８Ｌとの間隔は０．８）
１１０Ｌ：０．８５×０．２５
１２７Ｌ：０．８×１．２（１２７Ｌと１２７Ｌとの間隔は０．８）
【００４９】
図１０乃至図１４に示すように、発明の実施の形態２に係る差動信号用帯域通過フィルタは、前述した発明の実施の形態１に係る差動信号用帯域通過フィルタの要素（ａ）、（ｂ１）乃至（ｂ４）、（ｃ１）乃至（ｃ５）、（ｄ１）及び（ｄ２）、（ｅ１）乃至（ｅ３）を備えるとともに、さらに、次のような要素を備えている。
【００５０】
（ｃ６）線路の対１０６、１０６と１０７、１０７の間にそれぞれ設けられる線路の対１２４，１２４。発明の実施の形態１では、線路の対１０６、１０６と１０７、１０７の間に隙間が設けられていたが、発明の実施の形態２では、当該隙間が拡大されてそこに略正方形又は長方形の線路の対１２４，１２４が設けられる。
（ｄ３）線路の対１２４，１２４及び線路の対１０７，１０７にそれぞれ対向して層Ｌ１に設けられる線路１２７Ｕ、１２７Ｕ。線路の対１２７Ｕ、１２７Ｕは、線路の対１０７，１０７の全部と線路の対１２４、１２４の約半分を覆うことができる程度の大きさである（図１２の点線参照）。なお、発明の実施の形態２の線路の対１０８Ｕ，１０８Ｕは、線路の対１０６，１０６の全部と線路の対１２４、１２４の約半分を覆っている（図１２の点線参照）。
（ｄ４）線路１１０Ｕの両端（高インピーダンス線路の対１０４、１０４の延在方向と直交する方向の端）と線路の対１２７Ｕ，１２７Ｕの端（ほぼ中央を接続点とする）にそれぞれ接続される、層Ｌ１に設けられる高インピーダンス線路の対１２１、１２１。
（ｅ４）線路の対１２４，１２４及び線路の対１０７，１０７にそれぞれ対向して層Ｌ３に設けられる線路１２７Ｌ、１２７Ｌ。線路の対１２７Ｌ、１２７Ｌは、線路の対１０７，１０７の全部と線路の対１２４、１２４の約半分を覆うことができる程度の大きさである（図１２の点線参照）。なお、発明の実施の形態２の線路の対１０８Ｌ，１０８Ｌは、線路の対１０６，１０６の全部と線路の対１２４、１２４の約半分を覆っている（図１２の点線参照）。
【００５１】
図１０乃至図１４の符号１２１はフィルタ回路から見て中心対称面側に設けたシャントインダクタであり、符号１０５はフィルタ回路から見て中心対称面の反対側に設けたシャントインダクタである。
【００５２】
発明の実施の形態１では、低域通過フィルタの容量を構成する電極１１０Ｕ／Ｌを上下に配置しているが、この電極はシャントインダクタ１０５の接地に用いるものであり、図面１で片側にのみシャントインダクタを配すればよいので上側の電極はなくしてもよい（図１等の１１０Ｕはなくてもよい）。
【００５３】
これに対し、発明の実施の形態２では、高域通過フィルタ部を多段化したものであり（図１０等は２段にしたものを示す）、この場合、図１０乃至図１４に示すようにシャントインダクタ１２１，１２１を線路１１０Ｕの両端に接続し、接地している。第１段のシャントインダクタ１０５，１０５を中心対称面（仮想接地面）ＳＰと反対側に配置し、第２段のシャントインダクタ１２１，１２１を仮想接地面ＳＰの側に配置している。
【００５４】
発明の実施の形態２に係る帯域通過フィルタの構造によれば、高域通過フィルタ部を多段化したので、その通過帯域より低い周波数に複数のノッチ（遮断の大きな周波数領域）を生じさせることができる。したがって、遮断特性をさらに急峻にできる。
【００５５】
次に、差動回路用シャントキャパシタの構造、差動回路用シリーズキャパシタの構造及び差動信号用低域通過フィルタの構造について説明を加える。なお、以下の説明でビアを用いて導体を接続しているが、ビアはなくてもよい。
【００５６】
＜差動回路用シャントキャパシタの構造＞
図１７は、発明の実施の形態に係る差動回路用シャントキャパシタの構造を示す斜視図である。図面を見やすくするため、図１７において誘電体の表示を省略している。図１８は、図１７のＡ−Ａ矢視断面図である。図１８において、Ｌ１〜Ｌ３は導体を形成し得る面（層）を意味し、上から順番にＬ１、Ｌ２、Ｌ３としている。第２面Ｌ２は２つの誘電体６ａと６ｂに挟まれている。ＳＰは誘電体６ａ，６ｂに垂直な平面であり、これを対称面として電極２が配置されている。層Ｌ１〜Ｌ３と対称面ＳＰは説明の便宜上図示したものであって、実際の構造には含まれない。図１９は、図１７及び図１８の構造によるシャントキャパシタの概略等価回路である。
【００５７】
図１７及び図１８において、１は複数の電極（線路）２ａ，２ｂの両端にそれぞれ設けられた入出力端子である。２ａと２ｂは差動信号用の容量を構成する電極である。電極２ａと電極２ｂは第２面Ｌ２に対称面ＳＰに関して対称に設けられている。３は第１面Ｌ１上に少なくとも電極２ａと２ｂを覆うように設けられた電極である。４は第３面Ｌ３上に少なくとも電極２ａと２ｂを覆うように設けられた電極である。電極２ａと電極３は誘電体６ａを挟んでシャントの容量を構成するとともに、電極２ａと電極４は誘電体６ｂを挟んでシャントの容量を構成する。電極２ｂについても同様である。５は電極３と電極４を短絡するためのビアである。６ａと６ｂは誘電体である。
【００５８】
図１７及び図１８において、第２面Ｌ２の電極２ａ及び電極２ｂと第１面Ｌ１の電極３ならびに第３面Ｌ３の電極４とで差動信号のシャントの容量を構成するよう対向して設けられている。図１７及び図１８の例では、電極２ａと２ｂ，３，４の各電極面に垂直な対称面ＳＰが差動信号の仮想接地面となっている。電極３，４はビア５により一体化された電極であり、電極２ａ、電極３及び電極２ａと電極４で構成される上下の容量は、電極３，４を短絡するビア５により近似的に並列の容量を構成する。電極２ｂについても同様である（図１９参照）。なお、電極３，４は仮想接地面に接続しているため同電位となるのでビア５はなくてもよい。
【００５９】
しかし集中定数のインダクタ、キャパシタは高周波になってくるとその大きさが波長に対して無視できなくなり分布定数線路として取り扱う必要がある。分布定数線路としてシャントの容量を実現した例（比較例）を図２０に示す。図２０（ａ）は集中定数で表した等価回路、図２０（ｂ）と（ｃ）はそれを分布定数線路で実現した構造を示し、それぞれ上面図とａ−ａ’矢視断面図である。４１は差動信号の入出力端子、４２はシャントＣの上面電極、４３はシャントＣの下面電極を表す。下面電極４３はその中央で短絡されている。４４は誘電体基板を表す。
【００６０】
これに対し図１７及び図１８の構造では、第２面Ｌ２の電極２ａと第１面Ｌ１の電極３間の容量と、第２面Ｌ２の電極２ａと第３面Ｌ３の電極４間の容量が並列となるよう構成されている。電極２ｂについても同様である。すなわち、電極２ａと２ｂそれぞれの両面を使って容量を実現でき、しかもそれらをビア５によって短絡して並列接続できるので、同じ面積の電極を用いたときに図２０の構造に比べて２倍の容量を得ることができる。
【００６１】
なお、図２０の構造でも２倍の容量は、電極４２の面積を２倍にすることで得ることができるが、そのときの実効的な容量をシミュレーションで比較した結果を図２１に示す。図２１で２つのグラフを示すが、縦軸の容量のスケールが異なる点を除き両者は同じものである。
【００６２】
シミュレーションの条件は次のとおりである。
・発明の実施の形態（図１７及び図１８）の構造
２つの層の誘電体６ａ，６ｂはどちらも、比誘電率９．８、厚み０．１ｍｍである。複数の電極２ａ，２ｂの大きさはそれぞれ１ｍｍ×０．６ｍｍである。電極２ａと２ｂの間隔は０．１ｍｍである。
・比較例（図２０）の構造
誘電体４４の条件は発明の実施の形態と同じである。複数の電極４２は１ｍｍ角、複数の電極４２の間隔は０．１ｍｍである。
【００６３】
図２１からわかるように、低周波での容量は発明の実施の形態の構造と比較例の構造とで同じであるが、本発明の実施の形態の構造の方がより高周波の領域まで容量の変動が小さいことがわかる。通常の回路では容量は使用帯域内ではほぼ一定である必要があり、本発明の実施の形態の構造の方がより広い帯域で使用できる。
【００６４】
図１７及び図１８の構造によれば、同じ面積の電極２を用いたときに容量を大きくできるだけでなく、その高周波特性を改善することができる。
【００６５】
＜差動回路用シリーズキャパシタの構造＞
図２２は、発明の実施の形態に係る差動回路用シリーズキャパシタの構造を示す斜視図である。図面を見やすくするため、図２２において誘電体の表示を省略している。図２３は、図１７のＢ−Ｂ矢視断面図である。図２３の面（層）Ｌ１〜Ｌ３と対称面ＳＰは、図１８の場合と同様の意味である。図２４は、図２２及び図２３の構造によるシャントキャパシタの概略等価回路である。
【００６６】
図２２及び図２３において、１１は電極（線路）１２ａ，１２ｂにそれぞれ設けられた入出力端子である。１２ａ，１２ｂは差動信号用の容量を構成する第２面Ｌ２上の電極（線路）である。電極１２ａと１２ｂが対称面ＳＰに関し対称に配置されているのは図１７及び図１８の場合と同じであるが、図２２及び図２３においては、電極１２ａ、１２ｂの中間部にそれぞれに間隙（図２２の符号Ｇ）が設けられている。つまり、一方の入出力端１１から他方の入出力端までの途中に間隙が設けられていて、電極１２ａ、１２ｂの入出力端１１，１１間は短絡していない。１３ａと１３ｂは第１面Ｌ１上の電極、１４ａと１４ｂは第３面Ｌ３上の電極でそれぞれ電極１２ａ，１２ｂとシリーズの容量を構成する。電極１３ａと１３ｂの間の対称面ＳＰの部分に間隙が設けられている。すなわち、電極１３ａと１３ｂは短絡していない。間隙の設けられている個所が対称面ＳＰであるから、電極１３ａと１３ｂは接地されていない。電極１４ａと１４ｂについても同様である。１５は電極１３ａと１４ａ、電極１３ｂと１４ｂをそれぞれ短絡するための複数のビアである。１６ａと１６ｂは誘電体である。
【００６７】
対称面ＳＰは差動信号に対し仮想接地面となっている。図２２の奥側の２つの電極１２ａ、１２ｂと電極１３ａ、１３ｂの電極が対向して容量を構成する（図２４のＣｂ，Ｃｆ）とともに、奥側の電極１２ａ，１２ｂと電極１４ａ，１４ｂの電極が対向して容量を構成する（図２４のＣｄ，Ｃｈ）。同様に、手前の電極１２ａ、１２ｂも電極１３ａ，１３ｂ，１４ａ，１４ｂと容量を構成する（図２４のＣａ，Ｃｃ，Ｃｅ，Ｃｆ）。電極１３ａと１３ｂは、対称面ＳＰの部分で分離されているものの、対称面ＳＰに沿った前後方向で短絡されているため、２つの容量は直列に接続されていることになる（図２４のＣａとＣｂ、ＣｃとＣｄ、ＣｅとＣｆ、ＣｇとＣｈ）。上下の１対の電極１３，１４はビアで各々連結されているため、１２と１３の容量、１２と１４の容量は左右の電極に各々について並列接続となっている（直列接続のＣａ＋Ｃｂと直列接続のＣｃ＋Ｃｄ、直列接続のＣｅ＋Ｃｆと直列接続のＣｇ＋Ｃｈ）。
【００６８】
このように、図２２及び図２３の構造は、第２面Ｌ２の電極１２ａ，１２ｂと第１面の電極１３ａ，１３ｂ間の容量と、電極１２ａ，１２ｂと第３面Ｌ３の電極１４ａ，１４ｂ間の容量が並列となるよう構成されている。
【００６９】
次に、図２２及び図２３の構造のシリーズ容量に関してその特性の説明をする。図２５はシリーズの容量の周波数依存性に関して、本発明の実施の形態の構造の特性を示したものである。図２５には、図２２及び図２３の構造から電極１３ａと１３ｂ又は１４ａと１４ｂの一方を取り去ったものを比較例として示した。
【００７０】
シミュレーションの条件は次のとおりである。
・発明の実施の形態（図２２及び図２３）の構造
２つの誘電体１６ａ、１６ｂはどちらも比誘電率９．８、厚み０．１ｍｍである。電極１２ａ（電極１２ａは２つの部分からなるがその一方の部分）の面積は０．６５ｍｍ×０．３ｍｍである。電極１２ｂも同様である。電極１２ａと１２ｂの間隔は０．１ｍｍである。
・比較例の構造
片側にだけ電極をもつので図２２及び図２３と同じ容量を持たせるために、電極１２ａ，１２ｂの各部分の面積を約２倍とした。すなわち、第２面の電極１２ａ，１２ｂは０．６ｍｍ角である。電極１２ａと１２ｂの間隔は０．１ｍｍである。
【００７１】
図２５からわかるように、低周波での容量は発明の実施の形態の構造と比較例の構造とで同じであるが、本発明の実施の形態の構造の方がより高周波の領域まで容量の変動が小さいことがわかる。通常の回路では容量は使用帯域内ではほぼ一定である必要があり、本発明の実施の形態の構造の方がより広い帯域で使用できる。
【００７２】
図２２及び図２３の構造によれば、同じ面積の電極１２を用いたときに容量を大きくできるだけでなく、その高周波特性を改善することができる。
【００７３】
＜差動信号用低域通過フィルタの構造＞
発明の実施の形態に係るシャントキャパシタを用いた低域通過フィルタを説明する。図２６は発明の実施の形態に係る低域通過フィルタの斜視図である。図２７は同平面図である。これらの図において誘電体の表示を省略している。図２８はその等価回路を示す。
【００７４】
図２６及び図２７において、２１は入出力端子、２２はシャント容量（図１７及び図１８に示したもの）、２３と２５は差動信号用のインダクタを構成する２結合線路、２４は片側のみに対向電極を有する容量（図２０に示したもの）を示す。容量２４を構成する電極２４−１は第１面Ｌ１に設けられるが、インダクタ２３と２５や入出力端子２１は第２面Ｌ２に設けられる。
【００７５】
差動用シャント容量２２の前後にインダクタを構成する２結合線路２３，２５が接続され、２結合線路２３の入出力端子側２１にはシャントキャパシタ２４が接続されている。したがって、図２６及び図２７の低域通過フィルタは、奥側からインダクタ２５、容量２２、インダクタ２３及び容量２４の４つの回路要素が縦続接続された回路（４段の低域通過フィルタ）となる（図２８参照）。容量２２と２４、インダクタ２３と２５の値を適切に選ぶことで低域通過フィルタを実現できる。なお、容量２４の構造を、容量２２と同様の構造としてもよい。
【００７６】
次に図２６及び図２７の低域通過フィルタの特性について説明する。図２９はシミュレーションによる当該低域通過フィルタの特性例を示す。図２９では１０ＧＨｚを遮断周波数としている。
【００７７】
シミュレーションの条件は次のとおりである。
・図示しない上層の誘電体は誘電率９．８、誘電体厚み０．１ｍｍである。
・図示しない下層の誘電体は誘電率７．５、誘電体厚み０．０５ｍｍである。
・２結合線路２５は、線路間隔１ｍｍ、線路幅０．１ｍｍ、線路長０．９ｍｍである。
・シャント容量２２第２面Ｌ２の電極は０．４ｍｍ角である。
・２結合線路２３は、線路間隔１ｍｍ、線路幅０．１ｍｍ、線路長１．３ｍｍである。
・奥側（線路２５側）の入出力端子２１のインピーダンスは５０Ω、手前（線路２３側）の端子インピーダンスは１００Ωである。
【００７８】
図２９からわかるとおり、発明の実施の形態に係る低域通過フィルタでは１０ＧＨｚ帯を遮断周波数とする良好な低域通過特性が実現されている。
【００７９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００８０】
【図１】発明の実施の形態１に係る差動信号用帯域通過フィルタの構造を示す斜視図である。
【図２】発明の実施の形態１に係る差動信号用帯域通過フィルタの構造を示す平面図である。
【図３】発明の実施の形態１に係る差動信号用帯域通過フィルタの構造のうち、最も下の層Ｌ３に形成された構造（導体）を示す平面図である。
【図４】図４（ａ）は、発明の実施の形態１に係る差動信号用帯域通過フィルタの構造のうち、中間の層Ｌ２に形成された構造（導体）を示す平面図である。図４（ｂ）は、発明の実施の形態１に係る差動信号用帯域通過フィルタの構造のうち、最も上の層Ｌ１に形成された構造（導体）を示す平面図である。
【図５】図５（ａ）は、図２等に示されたＡ−Ａ矢視断面図である。図５（ｂ）は、図２等に示されたＢ−Ｂ矢視断面図である。図５（ｃ）は、図２等に示されたＣ−Ｃ矢視断面図である。
【図６】発明の実施の形態１に係る差動信号用帯域通過フィルタの概略等価回路である。
【図７】発明の実施の形態１に係る差動信号用帯域通過フィルタのシミュレーションにより得た特性図を示す。
【図８】集中定数で構成した帯域通過フィルタ（比較例）の回路図である。
【図９】図９（ａ）は公知の高域通過フィルタの回路図、図９（ｂ）は当該フィルタの特性の説明図である。
【図１０】発明の実施の形態２に係る差動信号用帯域通過フィルタの構造を示す斜視図である。
【図１１】発明の実施の形態２に係る差動信号用帯域通過フィルタの構造のうち、最も下の層Ｌ３に形成された構造（導体）を示す平面図である。
【図１２】発明の実施の形態２に係る差動信号用帯域通過フィルタの構造のうち、中間の層Ｌ２に形成された構造（導体）を示す平面図である。
【図１３】発明の実施の形態２に係る差動信号用帯域通過フィルタの構造のうち、最も上の層Ｌ１に形成された構造（導体）を示す平面図である。
【図１４】図１４（ａ）は、図１１等に示されたＡ−Ａ矢視断面図である。図１４（ｂ）は、図１１等に示されたＢ−Ｂ矢視断面図である。図１４（ｃ）は、図１１等に示されたＣ−Ｃ矢視断面図である。
【図１５】発明の実施の形態２に係る差動信号用帯域通過フィルタの概略等価回路である。
【図１６】発明の実施の形態２に係る差動信号用帯域通過フィルタのシミュレーションにより得た特性図を示す。
【図１７】発明の実施の形態に係る差動回路用シャントキャパシタの斜視図である。
【図１８】図１７のＡ−Ａ矢視断面図である。
【図１９】発明の実施の形態に係る差動回路用シャントキャパシタの等価回路である。
【図２０】差動回路用シャントキャパシタ（比較例）の説明図である。図２０（ａ）は集中定数で表した構成、図２０（ｂ）及び（ｃ）はそれを分布定数線路で実現したときの上面図及び断面図である。
【図２１】発明の実施の形態に係る差動回路用シャントキャパシタの特性例を示すグラフである。
【図２２】発明の実施の形態に係る差動回路用シリーズキャパシタの斜視図である。
【図２３】図２２のＢ−Ｂ矢視断面図である。
【図２４】発明の実施の形態に係る差動回路用シリーズキャパシタの等価回路である。
【図２５】発明の実施の形態に係る差動回路用シリーズキャパシタの特性例を示すグラフである。
【図２６】発明の実施の形態に係る差動回路用低域通過フィルタの斜視図である。
【図２７】発明の実施の形態に係る差動回路用低域通過フィルタの平面図である。
【図２８】発明の実施の形態に係る差動回路用低域通過フィルタの等価回路である。
【図２９】発明の実施の形態に係る差動回路用低域通過フィルタの特性例を示すグラフである。
【符号の説明】
【００８１】
１０１ａ，１０１ｂ  入出力端
１０８Ｕ、１１０Ｕ、１２１、１２７Ｕ  第１層に設けられた線路又は線路の対
１０２，１０３，１０４，１０６，１０７，１２４  第２層に設けられた線路の対
１０５、１０８Ｌ、１１０Ｌ、１２７Ｌ  第３層に設けられた線路又は線路の対
１６０  第１誘電体
１６１  第２誘電体
１６２  第３誘電体
Ｌ１  第１層
Ｌ２  第２層
Ｌ３  第３層
【図１】
2007142801.tif 000003
【図２】
2007142801.tif 000004
【図３】
2007142801.tif 000005
【図４】
2007142801.tif 000006
【図５】
2007142801.tif 000007
【図６】
2007142801.tif 000008
【図７】
2007142801.tif 000009
【図８】
2007142801.tif 000010
【図９】
2007142801.tif 000011
【図１０】
2007142801.tif 000012
【図１１】
2007142801.tif 000013
【図１２】
2007142801.tif 000014
【図１３】
2007142801.tif 000015
【図１４】
2007142801.tif 000016
【図１５】
2007142801.tif 000017
【図１６】
2007142801.tif 000018
【図１７】
2007142801.tif 000019
【図１８】
2007142801.tif 000020
【図１９】
2007142801.tif 000021
【図２０】
2007142801.tif 000022
【図２１】
2007142801.tif 000023
【図２２】
2007142801.tif 000024
【図２３】
2007142801.tif 000025
【図２４】
2007142801.tif 000026
【図２５】
2007142801.tif 000027
【図２６】
2007142801.tif 000028
【図２７】
2007142801.tif 000029
【図２８】
2007142801.tif 000030
【図２９】
2007142801.tif 000031